(57)【要約】【課題】ＦＰＤカセッテやブッキー装置に改造等を加えずに、ブッキー装置に装填されたＦＰＤカセッテの上下方向の向きに係らず、プレビュー画像をできるだけ被写体である患者の身体の上下方向と同じ上下方向で表示することが可能な放射線画像撮影システムを提供する。【解決手段】放射線画像撮影システム５０は、ＦＰＤカセッテ１と、ＦＰＤカセッテ１を装填可能なブッキー装置５１と、ＦＰＤカセッテ１から送信されてきた間引きデータＤｔ等に基づいて、表示部５８ａ上に少なくともプレビュー画像ｐ_preを表示させるコンソール５８とを備え、コンソール５８の表示部５８ａ上にプレビュー画像ｐ_preを表示させる際に、当該間引きデータＤｔ等を送信したＦＰＤカセッテ１が装填されたブッキー装置５１ごとに、プレビュー画像ｐ_preを、１８０°回転させて表示するか、または１８０°回転させないで表示するかが予め設定される。【選択図】図２
2012110452.tif 000002
【特許請求の範囲】
【請求項１】
放射線源から被写体を介して照射された放射線に担持されている情報を画像データとして読み出す、コネクタを備えたＦＰＤカセッテと、
ＦＰＤカセッテを装填可能なブッキー装置と、
前記ＦＰＤカセッテから送信されてきた前記画像データまたは前記画像データから所定の割合でデータを間引いてデータ量を減少させた間引きデータに基づいて、表示部上に少なくともプレビュー画像を表示させるコンソールと、
を備え、
前記コンソールの前記表示部上に前記プレビュー画像を表示させる際に、当該プレビュー画像の基になった前記画像データまたは前記間引きデータを送信した前記ＦＰＤカセッテが装填された前記ブッキー装置ごとに、前記プレビュー画像を、１８０°回転させて表示するか、または１８０°回転させないで表示するかが予め設定されることを特徴とする放射線画像撮影システム。
【請求項２】
前記ブッキー装置は、前記ＦＰＤカセッテを左右いずれかの方向から装填可能とされており、
前記ブッキー装置が、前記ＦＰＤカセッテを向かって左側から装填するタイプか、向かって右側から装填するタイプかに基づいて、前記プレビュー画像を、１８０°回転させて表示するか、または１８０°回転させないで表示するかが予め設定されることを特徴とする請求項１に記載の放射線画像撮影システム。
【請求項３】
前記コンソールは、前記プレビュー画像を、１８０°回転させて表示するか、または１８０°回転させないで表示するかを、前記ブッキー装置が前記ＦＰＤカセッテを左側から装填するか右側から装填するかのみならず、前記ＦＰＤカセッテの前記コネクタの設置位置および前記ＦＰＤカセッテにおける前記画像データの読み出し方向に基づいて予め設定することを特徴とする請求項２に記載の放射線画像撮影システム。
【請求項４】
前記ブッキー装置を用いた撮影で得られた前記画像データまたは前記間引きデータに基づく前記プレビュー画像を表示させる際に、前記プレビュー画像を、１８０°回転させて表示するか、または１８０°回転させないで表示するかの情報を、前記各ブッキー装置ごとに管理する管理装置を備え、
前記コンソールは、前記管理装置から、撮影に用いられた前記ブッキー装置に関する前記情報を入手し、入手した前記情報に基づいて、前記プレビュー画像を表示することを特徴とする請求項１から請求項３のいずれか一項に記載の放射線画像撮影システム。
【請求項５】
前記コンソールは、前記プレビュー画像を、１８０°回転させて表示する場合には、前記表示部上で、前記プレビュー画像を下側から上向きに表示させていくことを特徴とする請求項１から請求項４のいずれか一項に記載の放射線画像撮影システム。
【請求項６】
前記ブッキー装置または前記ＦＰＤカセッテは、当該ブッキー装置に装填された当該ＦＰＤカセッテから前記コンソールに前記画像データまたは前記間引きデータを送信する際に、前記画像データまたは前記間引きデータに当該ブッキー装置の識別情報を付帯させて送信し、
前記コンソールは、前記画像データまたは前記間引きデータに付帯されている前記ブッキー装置の識別情報に基づいて、前記プレビュー画像を、１８０°回転させて表示するか、または１８０°回転させないで表示するかを決定することを特徴とする請求項１から請求項５のいずれか一項に記載の放射線画像撮影システム。
【請求項７】
前記ブッキー装置は、当該ブッキー装置に対応して設けられたケーブルに取り付けられたコネクタを備えており、
前記コネクタに、前記ＦＰＤカセッテの前記コネクタが接続されると、前記ブッキー装置から前記ＦＰＤカセッテに電力が供給されるとともに、前記ケーブルを介して前記ＦＰＤカセッテからの前記画像データまたは前記間引きデータの送信が行われることを特徴とする請求項１から請求項６のいずれか一項に記載の放射線画像撮影システム。
【請求項８】
前記ブッキー装置には、前記ＦＰＤカセッテが装填されると自動的に当該ＦＰＤカセッテの前記コネクタと接続されるコネクタが設けられており、
前記ブッキー装置のコネクタに、前記ＦＰＤカセッテの前記コネクタが接続されると、前記ブッキー装置から前記ＦＰＤカセッテに電力が供給されるとともに、前記ブッキー装置のコネクタを介して前記ＦＰＤカセッテからの前記画像データまたは前記間引きデータの送信が行われることを特徴とする請求項１から請求項６のいずれか一項に記載の放射線画像撮影システム。
【請求項９】
前記コンソールは、前記プレビュー画像の表示後に放射線画像を表示し、放射線画像表示に際し、前記プレビュー画像に基づく自動部位認識を行い、当該部位認識結果に基づき、放射線画像の表示方向処理を行うことを特徴とする請求項１から請求項８のいずれか一項に記載の放射線画像撮影システム。
【発明の詳細な説明】
【技術分野】
【０００１】
本発明は、放射線画像撮影システムに関する。
【背景技術】
【０００２】
病気診断等を目的として、Ｘ線画像に代表される放射線を用いて撮影された放射線画像が広く用いられている。こうした医療用の放射線画像は、従来からスクリーンフィルムを用いて撮影されていたが、放射線画像のデジタル化を図るために輝尽性蛍光体シートを用いたＣＲ（Computed Radiography）カセッテが開発され、最近では、照射された放射線を、２次元状に配置された放射線検出素子で検出して、デジタル画像データとして取得する放射線画像撮影装置が開発されている。
【０００３】
このタイプの放射線画像撮影装置はＦＰＤ（Flat Panel Detector）として知られており、従来は支持台と一体的に形成された、いわゆる専用機型の放射線画像撮影装置として形成されていた（例えば特許文献１参照）。しかし、近年、放射線検出素子等をハウジングに収納して可搬とされた可搬型放射線画像撮影装置が開発され、実用化されている（例えば特許文献２、３参照）。
【０００４】
また、このような可搬型放射線画像撮影装置では、バッテリを内蔵し、アンテナ等を備えた通信手段を介した電波のやりとりで信号やデータ等の送受信を行う放射線画像撮影装置が開発されている（例えば特許文献４等参照）。なお、以下、可搬型放射線画像撮影装置を、ＦＰＤカセッテという。
【０００５】
また、ＦＰＤカセッテとしては、照射されたＸ線等の放射線の線量に応じて検出素子で電荷を発生させて電気信号に変換するいわゆる直接型のＦＰＤカセッテや、照射された放射線をシンチレータ等で可視光等の他の波長の電磁波に変換した後、変換され照射された電磁波のエネルギに応じてフォトダイオード等の光電変換素子で電荷を発生させて電気信号に変換するいわゆる間接型のＦＰＤカセッテが種々開発されている。
【０００６】
なお、本発明では、直接型のＦＰＤカセッテにおける検出素子や、間接型のＦＰＤカセッテにおける光電変換素子を、あわせて放射線検出素子という。
【０００７】
ところで、ＦＰＤカセッテＦの内部には、図２９に示すように、複数の走査線５が平行に配設されたセンサパネルＳＰが内蔵されている。なお、ＦＰＤカセッテＦの内部構造等については、後で詳しく説明する。また、図２９では、ＦＰＤカセッテＦの大きさに対して走査線５の間隔が非常に広く表現されているが、実際には、走査線５同士の間隔は数十〜数百［μｍ］程度の間隔である。
【０００８】
各走査線５にはそれぞれ、図２９では図示しない放射線検出素子がそれぞれ多数接続されている。そして、ＦＰＤカセッテＦに図示しない被写体を介して放射線が照射されて放射線画像撮影が行われた後に、各走査線５に信号読み出し用の電圧（すなわちいわゆるオン電圧）が順次印加されて、各放射線検出素子から画像データＤが順次読み出される。
【０００９】
その際、各放射線検出素子からの画像データＤの読み出し処理の際に、各走査線５にオン電圧を印加する順序は、通常、ＦＰＤカセッテＦごとに予め決まっている。例えば、図２９に示したＦＰＤカセッテＦでは、インジケータ４０が設けられた側から順にオン電圧を印加する走査線５を順次シフトさせながら（すなわち図２９中の矢印Ａの方向（後述する読み出し方向Ａ）にシフトさせながら）、画像データＤの読み出し処理が行われる。
【００１０】
そして、ＦＰＤカセッテＦは、読み出した画像データＤを、一旦ＦＰＤカセッテＦ内の記憶手段に保存する。そして、その後、画像データＤや、画像データＤから所定の割合でデータを間引いてデータ量を減少させた間引きデータＤｔを、読み出した順にコンソール等の外部装置に送信する。
【００１１】
そして、コンソールは、特に間引きデータＤｔに基づいてプレビュー画像ｐ_preを表示する際には、放射線技師等の撮影者がプレビュー画像ｐ_preを見て撮影ポジション等を確認して再撮影の要否を判断するためにプレビュー画像ｐ_preを速やかに表示することが求められる。
【００１２】
そのため、コンソールは、間引きデータＤｔをそのまま、或いは間引きデータＤｔに簡単な画像処理を施して、送信されてきた順にプレビュー画像ｐ_preとして、例えば図３０に示すように、表示部の上側から順に表示する（図３０中の矢印Ｂ参照）。そして、この場合は、プレビュー画像ｐ_preが、被写体である患者の身体の上下方向と同じ上下方向で表示される。
【００１３】
しかし、ＦＰＤカセッテＦがブッキー装置に逆向きに装填された場合、すなわち例えば図２９に示したＦＰＤカセッテＦの例で言えば、図３１に示すように、ＦＰＤカセッテＦの上下方向が逆向きの状態でブッキー装置に装填されて撮影が行われた場合には、問題が生じる。
【００１４】
すなわち、図３１に示すように、ＦＰＤカセッテＦは、この場合も上記と同様にして、インジケータ４０が設けられた側から順に（すなわち矢印Ａで示される読み出し方向に）オン電圧を印加する走査線５を順次シフトさせながら画像データＤを読み出す。そして、ＦＰＤカセッテＦは、画像データＤや間引きデータＤｔを、読み出した順にコンソール等の外部装置に送信する。
【００１５】
一方、コンソールでは、上記と同様に、送信されてきた間引きデータＤｔに基づいて作成したプレビュー画像ｐ_preを、表示部の上側から順に表示する。そのため、図３２に示すように、プレビュー画像ｐ_preが、被写体である患者の身体の上下方向に対して上下が逆さまに表示されてしまうという問題が生じる。そして、このようにプレビュー画像ｐ_preが上下が逆さまに表示されると、撮影者がプレビュー画像ｐ_preを見て撮影ポジション等を確認しづらくなってしまう。
【００１６】
例えば、特許文献５、６では、ＦＰＤカセッテＦ内に、ＦＰＤカセッテＦの姿勢や傾き等を検出するセンサ等を設けることが記載されている。また、特許文献７には、ブッキー装置側に、装填されたＦＰＤカセッテＦの姿勢等を検出する手段を設けることが記載されている。
【００１７】
そこで、それらの技術を応用して、ブッキー装置に装填されたＦＰＤカセッテＦの姿勢等を、コンソールが認識して、それに応じて、プレビュー画像ｐ_preや放射線画像を表示させる際に、プレビュー画像ｐ_preを１８０°回転させずにそのまま表示するか、或いは１８０°回転させて表示するかを設定することができる。
【００１８】
なお、図２９や図３０に示した場合が、プレビュー画像ｐ_preを１８０°回転させずにそのまま表示する場合であり、図３１や図３２に示した場合が、プレビュー画像ｐ_preを１８０°回転させて表示すべき場合である。
【先行技術文献】
【特許文献】
【００１９】
【特許文献１】特許第３６３９７５０号公報
【特許文献２】特開２００６−０５８１２４号公報
【特許文献３】特開平６−３４２０９９号公報
【特許文献４】特開平７−１４０２５５号公報
【特許文献５】特開２００３−０１４８４８号公報
【特許文献６】特開２００８−２４６１０２号公報
【特許文献７】特開２００３−０５２６７７号公報
【発明の概要】
【発明が解決しようとする課題】
【００２０】
しかしながら、ＦＰＤカセッテに、カセッテの姿勢や傾き等を検出するセンサ等を設けると、センサ等を設ける分、ＦＰＤカセッテが大型化してしまい、また、コストも上昇してしまうといった問題がある。
【００２１】
また、ブッキー装置側に、装填されたＦＰＤカセッテの姿勢等を検出する手段を新たに設けるためには、ブッキー装置の改造や新たなブッキー装置の導入が必要になり、手間や費用がかかるため、必ずしも容易にブッキー装置の改造や導入を行えるわけではない。
【００２２】
そのため、できるだけ撮影室等のブッキー装置を既設の状態のまま用い、また、ＦＰＤカセッテにセンサ等を取り付けなくても、プレビュー画像ｐ_preの表示方向を、ブッキー装置に装填されたＦＰＤカセッテＦの上下方向に係らず、被写体である患者の身体の上下方向と同じ上下方向で表示することができるものであることが望ましい。
【００２３】
本発明は、上記の課題を鑑みてなされたものであり、ＦＰＤカセッテやブッキー装置に改造等を加えずに、ブッキー装置に装填されたＦＰＤカセッテの上下方向の向きに係らず、プレビュー画像ｐ_preをできるだけ被写体である患者の身体の上下方向と同じ上下方向で表示することが可能な放射線画像撮影システムを提供することを目的とする。
【課題を解決するための手段】
【００２４】
前記の問題を解決するために、本発明の放射線画像撮影システムは、
放射線源から被写体を介して照射された放射線に担持されている情報を画像データとして読み出す、コネクタを備えたＦＰＤカセッテと、
ＦＰＤカセッテを装填可能なブッキー装置と、
前記ＦＰＤカセッテから送信されてきた前記画像データまたは前記画像データから所定の割合でデータを間引いてデータ量を減少させた間引きデータに基づいて、表示部上に少なくともプレビュー画像を表示させるコンソールと、
を備え、
前記コンソールの前記表示部上に前記プレビュー画像を表示させる際に、当該プレビュー画像の基になった前記画像データまたは前記間引きデータを送信した前記ＦＰＤカセッテが装填された前記ブッキー装置ごとに、前記プレビュー画像を、１８０°回転させて表示するか、または１８０°回転させないで表示するかが予め設定されることを特徴とする。
【発明の効果】
【００２５】
本発明のような方式の放射線画像撮影システムによれば、コンソールは、表示部上にプレビュー画像ｐ_preを表示させる際に、当該プレビュー画像ｐ_preの基になった画像データ等を送信してきたＦＰＤカセッテが装填されているブッキー装置ごとに、プレビュー画像ｐ_preを、１８０°回転させて表示すべきか否かを割り出し、１８０°回転させて表示させてはならない場合には、的確にプレビュー画像ｐ_preを１８０°回転させないでそのまま表示し、１８０°回転させて表示させる必要がある場合には、的確にプレビュー画像ｐ_preを１８０°回転させて表示する。
【００２６】
そのため、ＦＰＤカセッテをブッキー装置に装填する際に、ブッキー装置に装填されたＦＰＤカセッテＦの上下方向に係らず、すなわち装填するＦＰＤカセッテの画像データの読み出し方向Ａの向き（図２９、図３１参照）がブッキー装置ごとに異なっても、それに応じてプレビュー画像ｐ_preの表示方向Ｂ（図３０や後述する図１９等参照）が適切な方向に設定されるため、コンソールの表示部上に表示されるプレビュー画像ｐ_preを、被写体である患者の身体の上下方向と同じ上下方向で表示することができる可能性が高くなる。
【００２７】
そのため、放射線技師等の撮影者にとってプレビュー画像ｐ_preが見易い状態で表示される可能性が高くなる。特に、プレビュー画像ｐ_preを表示する際には、撮影者がそれを見て撮影ポジション等を確認し、再撮影の要否を速やかに判断することが必要となるが、プレビュー画像ｐ_preを被写体である患者の身体の上下方向と同じ上下方向で表示することができる可能性を高くすることで、撮影者が容易かつ速やかに上記の判断を行うことが可能となる。
【００２８】
また、上記のように、ＦＰＤカセッテにカセッテの姿勢や傾き等を検出するセンサ等を設ける必要はなく、ブッキー装置の改造や新たなブッキー装置の導入も必要なく、撮影室に既設のブッキー装置を用いることが可能となる。そのため、ＦＰＤカセッテが大型化したりコスト増になったり、或いは、ブッキー装置の改造や導入のための費用をかけることも不要になる。
【図面の簡単な説明】
【００２９】
【図１】本実施形態に係る放射線画像撮影システムが適用される撮影室等のシステムの例を示す図である。
【図２】各撮影室内の構成を示す図である。
【図３】本実施形態に係る放射線画像撮影システムが適用される撮影室等のシステムの別の例を示す図である。
【図４】ＦＰＤカセッテの外観斜視図である。
【図５】図４のＦＰＤカセッテを反対側から見た外観斜視図である。
【図６】図４におけるＸ−Ｘ線に沿う断面図である。
【図７】ＦＰＤカセッテの基板の構成を示す平面図である。
【図８】図７の基板上の小領域に形成された放射線検出素子とＴＦＴ等の構成を示す拡大図である。
【図９】フレキシブル回路基板やＰＣＢ基板等が取り付けられた基板を説明する側面図である。
【図１０】ＦＰＤカセッテの等価回路を表すブロック図である。
【図１１】ＦＰＤカセッテのコネクタとブッキー装置のコネクタとが接続された状態を表す外観斜視図である。
【図１２】カセッテ保持部の内部にコネクタが設けられたブッキー装置を説明する図である。
【図１３】撮影オーダ情報の例を示す図である。
【図１４】撮影オーダ情報を表示する選択画面の例を示す図である。
【図１５】選択された各撮影オーダ情報に対応する各アイコン等が表示された画面の例を示す図である。
【図１６】アイコンの位置にプレビュー画像が表示された状態を示す図である。
【図１７】図１６の画面上に拡大されて表示されたプレビュー画像の例を示す図である。
【図１８】アイコンの位置に放射線画像が表示された状態を示す図である。
【図１９】（Ａ）、（Ｂ）１８０°回転させたプレビュー画像を下側から上側に向かって表示する状態を説明する図である。
【図２０】左装填タイプのブッキー装置を表す図であり、（Ａ）は背面昇降台タイプ、（Ｂ）は側面昇降台タイプを表す。
【図２１】右装填タイプのブッキー装置を表す図であり、（Ａ）は背面昇降台タイプ、（Ｂ）は側面昇降台タイプを表す。
【図２２】左装填タイプのブッキー装置にＦＰＤカセッテを装填した状態を表す図であり、（Ａ）は画像データの読み出し方向が下側から上側、（Ｂ）は上側から下側に向かう方向になるように装填した場合を表す。
【図２３】右装填タイプのブッキー装置にＦＰＤカセッテを装填した状態を表す図であり、（Ａ）は画像データの読み出し方向が上側から下側、（Ｂ）は下側から上側に向かう方向になるように装填した場合を表す。
【図２４】コンソールが備えるテーブルの例を表す図である。
【図２５】管理装置が備えるテーブルの例を表す図である。
【図２６】カセッテ保持部の内部にコネクタが設けられた左装填タイプのブッキー装置を表す図である。
【図２７】変形例におけるＦＰＤカセッテの構成および画像データの読み出し方向を表す図である。
【図２８】図２７のＦＰＤカセッテを右装填タイプのブッキー装置に装填すると、画像データの読み出し方向が逆になることを表す図である。
【図２９】ＦＰＤカセッテの構成および画像データの読み出し方向の例を表す図である。
【図３０】図２９に示した画像データの読み出し方向ではプレビュー画像の上下方向が被写体である患者の身体の上下方向と同じ上下方向で表示されることを表す図である。
【図３１】図２９のＦＰＤカセッテの上下方向を逆向きにしてブッキー装置に装填した状態を表す図である。
【図３２】図３１の状態のＦＰＤカセッテから送信された間引きデータに基づいて作成されたプレビュー画像は上下が逆さまに表示されることを表す図である。
【発明を実施するための形態】
【００３０】
以下、本発明に係る放射線画像撮影システムの実施の形態について、図面を参照して説明する。ただし、本発明は以下の図示例のものに限定されるものではない。
【００３１】
図１は、本実施形態に係る放射線画像撮影システムが適用される撮影室等のシステムの例を示す図である。このシステムでは、患者の身体の一部である被写体（すなわち患者の撮影部位）に放射線を照射して放射線画像撮影を行う部屋である複数の撮影室Ｒａにそれぞれコンソール５８が設けられており、それらのコンソール５８と管理装置Ｓ等とがＬＡＮ（Local Area Network）等のネットワークＮを介して互いに接続されている。
【００３２】
なお、本実施形態に係る放射線画像撮影システム５０は、このように複数の撮影室ＲａがネットワークＮ等で接続されている場合だけでなく、例えば図４に示すように、１つの撮影室Ｒａに１つのコンソール５８が対応付けられている場合にも適用することができる。また、図３に示すように、複数の撮影室Ｒａと、単数または複数のコンソール５８とが互いにネットワークＮ等を介して接続されているような場合にも適用可能である。
【００３３】
以下、本実施形態に係る放射線画像撮影システム５０が適用される撮影室ＲａやＦＰＤカセッテ１等に関する一般的な構成等について説明する。図２は、本実施形態に係る放射線画像撮影システムが適用される撮影室の構成例を示す図である。
【００３４】
撮影室Ｒａには、ＦＰＤカセッテ１を装填可能なブッキー装置５１や、被写体に放射線を照射するための放射線源５２がそれぞれ配置されている。また、撮影室Ｒａには、ブッキー装置５１やブッキー装置５１に装填されたＦＰＤカセッテ１とコンソール５８との信号等のやり取りを中継する中継器５４がそれぞれ設けられている。
【００３５】
ここで、撮影室Ｒａにおける他の装置等の説明の前に、まず、ＦＰＤカセッテ１について説明する。
【００３６】
なお、以下では、ＦＰＤカセッテ１として、シンチレータ等を備え、放射された放射線を可視光等の他の波長の電磁波に変換して電気信号を得るいわゆる間接型のＦＰＤカセッテについて説明するが、本発明は、シンチレータ等を介さずに放射線を放射線検出素子で直接検出する、いわゆる直接型のＦＰＤカセッテに対しても適用することができる。
【００３７】
図４は、ＦＰＤカセッテの外観斜視図であり、図５は、ＦＰＤカセッテを反対側から見た外観斜視図である。また、図６は、図４のＸ−Ｘ線に沿う断面図である。ＦＰＤカセッテ１は、図４〜図６に示すように、筐体状のハウジング２内にシンチレータ３や基板４等で構成されるセンサパネルＳＰが収納されている。
【００３８】
図４や図５に示すように、ＦＰＤカセッテ１の筐体２のうち、放射線入射面Ｒを有する中空の角筒状のハウジング本体部２Ａは、放射線を透過するカーボン板やプラスチック等の材料で形成されており、ハウジング本体部２Ａの両側の開口部を蓋部材２Ｂ、２Ｃで閉塞することで筐体２が形成されている。
【００３９】
なお、筐体２をこのようないわゆるモノコック型として形成する代わりに、例えば、フレーム板とバック板とで形成された、いわゆる弁当箱型とすることも可能である。
【００４０】
図４に示すように、筐体２の一方側の蓋部材２Ｂには、電源スイッチ３７や選択スイッチ３８、コネクタ３９、バッテリ状態やＦＰＤカセッテ１の稼働状態等を表示するＬＥＤ等で構成されたインジケータ４０等が配置されている。
【００４１】
また、図５に示すように、筐体２の反対側の蓋部材２Ｃには、後述するようにＦＰＤカセッテ１がブッキー装置５１に装填されない単独の状態で用いられる場合に、画像データＤ等をコンソール５８に無線方式で送信する際の通信手段として機能するアンテナ装置４１が埋め込まれている。なお、アンテナ装置４１を設ける場合には、アンテナ装置４１の筐体２上の配置場所や配置する個数は適宜決められる。
【００４２】
また、本実施形態では、後述するように、ＦＰＤカセッテ１がブッキー装置５１に装填される場合には、ＦＰＤカセッテ１は、通信手段であるコネクタ３９に接続されたブッキー装置５１側のコネクタ５１ｂ（後述する図１１、図１２参照）やケーブルを介して画像データＤ等をコンソール５８に有線方式で転送するように構成するようになっている。
【００４３】
筐体２の内部には、図６に示すように、センサパネルＳＰの基板４の下方側に図示しない鉛の薄板等を介して基台３１が配置され、基台３１には、電子部品３２等が配設されたＰＣＢ基板３３や緩衝部材３４等が取り付けられている。
【００４４】
なお、基板４やシンチレータ３の放射線入射面Ｒ側には、それらを保護するためのガラス基板３５が配設されている。また、センサパネルＳＰと筐体２の側面との間に、それらがぶつかり合うことを防止するための緩衝材３６が設けられている。
【００４５】
シンチレータ３は、基板４の後述する検出部Ｐに貼り合わされるようになっている。シンチレータ３は、例えば、蛍光体を主成分とし、放射線の入射を受けると３００〜８００ｎｍの波長の電磁波、すなわち可視光を中心とした電磁波に変換して出力するものが用いられる。
【００４６】
基板４は、ガラス基板で構成されており、図７に示すように、基板４のシンチレータ３に対向する側の面４ａ上には、複数の走査線５と複数の信号線６とが互いに交差するように配設されている。基板４の面４ａ上の複数の走査線５と複数の信号線６により区画された各小領域ｒには、放射線検出素子７がそれぞれ設けられている。
【００４７】
このように、走査線５と信号線６で区画された各小領域ｒに二次元状（マトリクス状ともいう。）に配列された複数の放射線検出素子７が設けられた領域ｒ全体、すなわち図７に一点鎖線で示される領域が検出部Ｐとされている。
【００４８】
放射線検出素子７としては、フォトダイオードが用いられているが、この他にも例えばフォトトランジスタ等を用いることも可能である。各放射線検出素子７は、図７の拡大図である図８に示すように、スイッチ手段であるＴＦＴ８のソース電極８ｓに接続されている。また、ＴＦＴ８のドレイン電極８ｄは信号線６に接続されている。
【００４９】
そして、ＴＦＴ８は、後述する走査駆動手段１５から走査線５を介してゲート電極８ｇにオン電圧が印加されるとオン状態となり、ソース電極８ｓやドレイン電極８ｄを介して放射線検出素子７内に蓄積されている電荷を信号線６に放出させるようになっている。また、ＴＦＴ８は、接続された走査線５を介してゲート電極８ｇにオフ電圧が印加されるとオフ状態となり、放射線検出素子７から信号線６への電荷の放出を停止して、放射線検出素子７内に電荷を保持するようになっている。
【００５０】
図８に示すように、列状に配置された複数の放射線検出素子７にそれぞれバイアス線９が接続されており、図７に示すように、各バイアス線９は、基板４の検出部Ｐの外側の位置で１本の結線１０に結束されている。
【００５１】
また、各走査線５や各信号線６、バイアス線９の結線１０は、それぞれ基板４の端縁部付近に設けられた入出力端子（パッドともいう）１１に接続されている。各入出力端子１１には、図９に示すように、ＩＣ１２ａ等のチップがフィルム上に組み込まれたフレキシブル回路基板（Chip On Filmともいう。）１２が異方性導電接着フィルム（Anisotropic Conductive Film）や異方性導電ペースト（Anisotropic Conductive Paste）等の異方性導電性接着材料１３を介して接続されている。
【００５２】
また、フレキシブル回路基板１２は、基板４の裏面４ｂ側に引き回され、裏面４ｂ側で前述したＰＣＢ基板３３に接続されるようになっている。このようにして、ＦＰＤカセッテ１のセンサパネルＳＰの基板４部分が形成されている。なお、図９では、電子部品３２等の図示が省略されている。
【００５３】
ここで、図１０を用いてＦＰＤカセッテ１の回路構成について説明する。
【００５４】
各放射線検出素子７の一方の電極にはそれぞれバイアス線９が接続されており、各バイアス線９は結線１０に結束されてバイアス電源１４に接続されている。バイアス電源１４は、結線１０および各バイアス線９を介して各放射線検出素子７の電極にそれぞれバイアス電圧（厳密に言えば逆バイアス電圧）を印加するようになっている。
【００５５】
また、各放射線検出素子７の他方の電極はＴＦＴ８のソース電極８ｓ（図１０中ではＳと表記されている。）に接続されており、各ＴＦＴ８のゲート電極８ｇ（図１０中ではＧと表記されている。）は、走査駆動手段１５のゲートドライバ１５ｂから延びる走査線５の各ラインＬ１〜Ｌｘにそれぞれ接続されている。また、各ＴＦＴ８のドレイン電極８ｄ（図１０中ではＤと表記されている。）は各信号線６にそれぞれ接続されている。
【００５６】
走査駆動手段１５は、ゲートドライバ１５ｂにオン電圧やオフ電圧を供給する電源回路１５ａと、走査線５の各ラインＬ１〜Ｌｘに印加する電圧をオン電圧とオフ電圧の間で切り替えるゲートドライバ１５ｂとを備えている。ゲートドライバ１５ｂは、前述したように、走査線５の各ラインＬ１〜Ｌｘを介してＴＦＴ８のゲート電極８ｇに印加する電圧をオン電圧とオフ電圧との間で切り替えて、各ＴＦＴ８のオン状態とオフ状態とを制御するようになっている。
【００５７】
また、各信号線６は、読み出しＩＣ１６内に形成された各読み出し回路１７にそれぞれ接続されている。読み出し回路１７は、増幅回路１８と、相関二重サンプリング（Correlated Double Sampling）回路１９と、アナログマルチプレクサ２１と、Ａ／Ｄ変換器２０とで構成されている。
【００５８】
例えば、放射線画像撮影の際に、被写体を介してＦＰＤカセッテ１に放射線が照射されると、シンチレータ３で放射線が他の波長の電磁波に変換され、変換された電磁波がその直下の放射線検出素子７に照射される。そして、照射された放射線の線量（すなわち電磁波の光量）に応じて放射線検出素子７内で電荷が発生する。
【００５９】
各放射線検出素子７からの画像データＤの読み出し処理においては、走査駆動手段１５のゲートドライバ１５ｂから走査線５の所定のラインＬｎにオン電圧が印加されると、走査線５の当該ラインＬｎを介してそれに接続されている各ＴＦＴ８のゲート電極８ｇにオン電圧が印加されて各ＴＦＴ８がオン状態となり、オン状態となった各ＴＦＴ８と接続されている放射線検出素子７から各ＴＦＴ８を介して信号線６に電荷が放出される。
【００６０】
そして、放射線検出素子７から放出された電荷量に応じて増幅回路１８から電圧値が出力され、それを相関二重サンプリング回路１９で相関二重サンプリングしてアナログ値の画像データＤがマルチプレクサ２１に出力される。マルチプレクサ２１から順次出力された画像データＤは、Ａ／Ｄ変換器２０で順次デジタル値の画像データＤに変換され、記憶手段２３に出力されて順次保存されるようになっている。
【００６１】
そして、本実施形態では、前述した図２９に示したように、各放射線検出素子７からの画像データＤの読み出し処理の際に、ゲートドライバ１５ｂから各走査線５にオン電圧を順次印加する際の順番は予め決まっており、例えば、走査線５のラインＬ１からオン電圧の印加を開始し、ラインＬ２、Ｌ３、…、Ｌｘの順にオン電圧を順次印加するようになっている。
【００６２】
なお、この順番は、例えば図２９や図３１に示したように、ＦＰＤカセッテ１の上下方向の向きに関わらず、各走査線５に同じ順番でオン電圧が順次印加されて、画像データＤの読み出し処理が行われる。
【００６３】
ＦＰＤカセッテ１は、このようにして、後述する放射線発生装置５７の放射線源５２から図示しない被写体を介して照射された放射線に担持されている情報を、画像データＤとして読み出すようになっている。
【００６４】
制御手段２２は、ＣＰＵ（Central Processing Unit）やＲＯＭ（Read Only Memory）、ＲＡＭ（Random Access Memory）、入出力インターフェース等がバスに接続されたコンピュータや、ＦＰＧＡ（Field Programmable Gate Array）等により構成されている。専用の制御回路で構成されていてもよい。
【００６５】
制御手段２２は、ＦＰＤカセッテ１の走査駆動手段１５や読み出し回路１７等の各機能部の動作等を制御するようになっている。制御手段２２には、ＤＲＡＭ（Dynamic ＲＡＭ）等で構成される記憶手段２３や、ＦＰＤカセッテ１の各機能部に電力を供給するバッテリ２４が接続されている。また、制御手段２２には、前述したアンテナ装置４１やコネクタ３９（図１０では図示省略）が接続されている。
【００６６】
制御手段２２は、上記のように走査駆動手段１５や読み出し回路１７等を制御して、各放射線検出素子７からの画像データＤの読み出し処理等を行わせたり、バイアス電源１４を制御してバイアス電源１４から各放射線検出素子７に印加するバイアス電圧を設定、可変させる等、ＦＰＤカセッテ１の各機能部に対して種々の制御を行うようになっている。
【００６７】
また、制御手段２２は、上記のようにして、各放射線検出素子７からの画像データＤの読み出し処理を行って、読み出した画像データＤ等を記憶手段２３に記憶させると、続いて、各画像データＤから所定の割合でデータを間引いてデータ量を減少させた間引きデータＤｔを作成し、間引きデータＤｔを作成するごとに、コンソール５８に送信するようになっている。
【００６８】
そして、本実施形態では、制御手段２２は、間引きデータＤｔを送信した後、画像データＤを自動的に送信するようになっている。
【００６９】
また、制御手段２２は、各画像データＤに重畳されている暗電荷に起因するオフセット分を取得するためのダーク読取処理を所定のタイミングで行うようになっており、ダーク読取処理で読み出したダーク読取値ｄに基づいて算出したオフセット補正値Ｏをコンソール５８に自動的に送信するようになっている。
【００７０】
本実施形態では、ＦＰＤカセッテ１は、後述するように、ＣＲカセッテと互換サイズを有しており、施設に既存の後述するブッキー装置５１に装填して使用することができるようになっている。
【００７１】
また、ＦＰＤカセッテ１は、後述するように、ブッキー装置５１に装填されている場合には、ブッキー装置５１から電力の供給を受けるが、ブッキー装置５１に装填されていない単独の状態では、バッテリ２４（図１０参照）から制御手段２２やバイアス電源１４、走査駆動手段１５、読み出し回路１７（読み出しＩＣ１６）等の各機能部に電力を供給するようになっている。
【００７２】
なお、放射線画像撮影や画像データＤの読み出し処理等を行わない場合に、各機能部に電力を供給すると、バッテリ２４が消耗してしまうため、ＦＰＤカセッテ１の制御手段２２は、前述したように、各機能部に電力を供給して放射線画像撮影を行うことができる状態、すなわち撮影可能な状態とする撮影可能モードと、電力消費を抑制するために必要な機能部にのみ電力を供給して少なくとも放射線検出素子には電力の供給を停止して放射線画像撮影ができないスリープモードとの間で、各機能部に対する電力供給モードを切り替えることができるようになっている。
【００７３】
また、制御手段２２は、電力供給モードを切り替える際に、コンソール５８に、撮影可能モードになったことを表す信号、或いはスリープモードになったことを表す信号を、それぞれ自らのカセッテＩＤとともに送信するようになっている。
【００７４】
次に、撮影室Ｒａにおける他の各装置等について説明する。
【００７５】
図１〜図３に示すように、各撮影室Ｒａには、ＦＰＤカセッテ１を装填可能なカセッテ保持部５１ａを備えたブッキー装置５１が設けられている。
【００７６】
なお、ブッキー装置５１の詳しい構成や、ブッキー装置５１へのＦＰＤカセッテ１の装填の仕方等については後で説明し、ここでは、一般的なブッキー装置５１の構成等について説明する。
【００７７】
また、図２では、撮影室Ｒａに、ブッキー装置５１として立位撮影用のブッキー装置５１Ａと臥位撮影用のブッキー装置５１Ｂが設置されている場合が示されているが、例えば、立位撮影用のブッキー装置５１Ａのみ、或いは臥位撮影用のブッキー装置５１Ｂのみが設けられているような場合にも本発明は適用される。
【００７８】
本実施形態では、ブッキー装置５１は、カセッテ保持部５１ａに従来のＣＲカセッテを装填して用いることもできるように構成されており、撮影室ＲａにＣＲカセッテ用に設置されている既存のブッキー装置が用いられる。
【００７９】
そのため、上記のＦＰＤカセッテ１は、ＣＲカセッテと同様の寸法になるように形成されている。すなわち、ＣＲカセッテは、従来のスクリーンフィルム用のカセッテにおけるＪＩＳ規格サイズ（対応する国際規格はＩＥＣ  ６０４０６）に準拠して、１４インチ×１７インチ（半切サイズ）等の寸法で形成される。また、放射線入射方向の厚さは１５ｍｍ＋１ｍｍ〜１５ｍｍ−２ｍｍの範囲内になるように形成される。
【００８０】
そして、このＪＩＳ規格サイズのＣＲカセッテを装填することができるブッキー装置５１への装填使用を可能とするため、ＦＰＤカセッテ１も、ＣＲカセッテが準拠するスクリーンフィルム用のカセッテにおけるＪＩＳ規格に準拠した寸法で形成されている。
【００８１】
なお、スクリーン／フィルムカセッテやＣＲカセッテ用の既存のブッキー装置を用いない場合には、ＦＰＤカセッテ１を上記の寸法で形成する必要はなく、ＦＰＤカセッテ１を任意の大きさや形状に形成することが可能である。しかし、その際には、ブッキー装置５１として、任意に設定された形状のＦＰＤカセッテ１を装填することができるブッキー装置を新たに撮影室Ｒａ内に設置することが必要となる。
【００８２】
図１１に示すように、ＦＰＤカセッテ１をブッキー装置５１に装填する前に、ブッキー装置５１から延びるケーブル５１ｃの先端に設けられたコネクタ５１ｂをＦＰＤカセッテ１のコネクタ３９に接続し、その状態でＦＰＤカセッテ１をブッキー装置５１のカセッテ保持部５１ａに装填するように構成することが可能である。
【００８３】
また、図１２に示すように、ブッキー装置５１のカセッテ保持部５１ａの内部に、装填されたＦＰＤカセッテ１のコネクタ３９（図４参照）と自動的に接続されるコネクタ５１ｂを設けるように構成することも可能である。
【００８４】
図１１や図１２の場合、図１２に示した立位撮影用のブッキー装置５１Ａの場合だけでなく、臥位撮影用のブッキー装置５１Ｂにも同様にコネクタ５１ｂが設けられる。このようにして、ＦＰＤカセッテ１は、ブッキー装置５１に装填される際、ＦＰＤカセッテ１のコネクタ３９と、ブッキー装置５１のコネクタ５１ｂとが接続された状態で装填されるようになっている。
【００８５】
ブッキー装置５１は、コネクタ５１ｂとＦＰＤカセッテ１のコネクタ３９とが接続されると、ＦＰＤカセッテ１からその識別情報であるカセッテＩＤを読み出し、ＦＰＤカセッテ１のカセッテＩＤと自らの識別情報であるブッキーＩＤとを対応付けて、コンソール５８に通知するようになっている。
【００８６】
なお、本実施形態では、このように、ブッキー装置５１がＦＰＤカセッテ１の識別情報を読み出すように構成されている場合について説明するが、ブッキー装置５１は、例えばＦＰＤカセッテをカセッテ保持部５１ａに装填して単にＦＰＤカセッテ１を保持するだけのものであり、ブッキー装置５１のコネクタ５１ｂに接続された際に、ＦＰＤカセッテ１自体が、自己の識別情報すなわちカセッテＩＤをブッキーＩＤとともにケーブル５１ｃ（図２や図１１参照）を介してコンソール５８に通知するように構成することも可能である。
【００８７】
また、ブッキー装置５１は、ＦＰＤカセッテ１がカセッテ保持部５１ａに装填されて用いられている場合には、ＦＰＤカセッテ１から間引きデータＤｔや画像データＤ等を送信する際に、自らの識別情報であるブッキーＩＤを付帯させて後述する中継器５４に有線方式で伝送し、中継器５４を介してコンソール５８に送信するようになっている。
【００８８】
さらに、ブッキー装置５１のコネクタ５１ｂとＦＰＤカセッテ１のコネクタ３９とが接続されることにより、ブッキー装置５１からＦＰＤカセッテ１に電力を供給するようになっている。そのため、ＦＰＤカセッテ１の制御手段２２は、コネクタ３９、５１ｂ同士が接続されると、バッテリ２４（図１０参照）からの各機能部への電力の供給を停止し、コネクタ３９を介してブッキー装置５１から供給される電力を各機能部に供給するように切り替えるようになっている。
【００８９】
図１〜図３に示すように、撮影室Ｒａには、被写体に放射線を照射する放射線源５２が少なくとも１つ設けられている。
【００９０】
そして、放射線源５２のうち、１つの放射線源５２Ａ（図２参照）は、例えば撮影室Ｒａの天井からつり下げられて配置されるようになっており、撮影時にはコンソール５８からの指示に基づいて起動され、図示しない移動手段により所定の位置にまで移動されるようになっている。そして、図２に示すように、放射線の照射方向を変えることで、立位撮影用のブッキー装置５１Ａや臥位撮影用のブッキー装置５１Ｂに装填されたＦＰＤカセッテ１に対して放射線を照射することができるようになっている。
【００９１】
また、図２に示すように、撮影室Ｒａに、立位撮影用や臥位撮影用のブッキー装置５１Ａ、５１Ｂには対応付けられていないポータブルの放射線源５２Ｂが設けられていてもよい。
【００９２】
ＦＰＤカセッテ１は、ブッキー装置５１に装填されていない単独の状態で、被写体である患者の身体の部分にあてがったり、臥位撮影用のブッキー装置５１Ｂのテーブルや図示しないベッドと患者の身体との間に差し込んだりした状態で用いることができ、ＦＰＤカセッテ１をこのようにして用いる場合に、ポータブルの放射線源５２Ｂから適切な距離や方向で放射線を照射することができる。
【００９３】
放射線源５２は、Ｘ線管球を備えており、Ｘ線管球は、後述する放射線発生装置５７から所定の管電圧や管電流が供給されると、指定された照射時間だけ管電圧等に応じた線量の放射線を照射するようになっている。
【００９４】
撮影室Ｒａは放射線が撮影室外に漏洩しないように鉛などでシールドされているため、撮影室Ｒａ内には、撮影室Ｒａ内の各装置と撮影室Ｒａ外の各装置との間の通信を中継する無線アンテナ５３を備えた中継器５４が設けられている。
【００９５】
図２に示すように、中継器５４は、前述したようにブッキー装置５１とケーブル５１ｃ等で接続されており、撮影室Ｒａ外の後述するコンソール５８や、コンソール５８を介して管理装置Ｓ等と接続されている。また、図３に示したように、撮影室Ｒａの中継器５４がネットワークＮに直接接続される場合もある。
【００９６】
本実施形態では、撮影室Ｒａ内には、撮影室Ｒａ内に持ち込まれたＦＰＤカセッテ１を保管するためのクレードル５５が設けられており、本実施形態では、クレードル５５は、ＦＰＤカセッテ１が挿入されると、ＦＰＤカセッテ１のバッテリ２４（図１０参照）を充電するようになっている。
【００９７】
また、クレードル５５は、撮影室Ｒａと前室Ｒｂのいずれに設置されてもよく、撮影室Ｒａに設置される場合には、放射線源５２から照射される放射線が到達しない位置、すなわち、例えば撮影室Ｒａのコーナーの位置等に設置される。
【００９８】
一方、前室Ｒｂには、図２に示すように、放射線源５２に対して放射線の照射開始等を指示するために撮影者が操作する曝射スイッチ５６等を備えた放射線発生装置５７が設けられている。そして、放射線発生装置５７は、コンソール５８からの指示に基づいて、放射線源５２に所定の管電圧や管電流等を供給したり、放射線源５２を所定の位置に移動させたり、放射線源５２の照射方向を変える等して、放射線源５２を起動させるようになっている。
【００９９】
また、前室Ｒｂには、コンソール５８が設けられている。なお、コンソール５８は、前室Ｒｂ外に設けられていてもよい。また、本実施形態では、図１に示すように、コンソール５８は、各撮影室Ｒａに１つずつ対応するように設けられているが、各撮影室Ｒａにコンソール５８が必ずしも１対１に対応付けられている必要はなく、例えば図３に示したように、単数または複数の撮影室Ｒａと単数または複数のコンソール５８とがネットワーク等を介して接続されるように構成されていてもよいことは前述した通りである。
【０１００】
コンソール５８には、ＣＲＴ（Cathode Ray Tube）やＬＣＤ（Liquid Crystal Display）等からなる表示部５８ａが設けられており、その他、キーボードやマウス等の図示しない入力手段等が接続されている。
【０１０１】
また、図示を省略するが、コンソール５８には、ネットワークＮ（図１や図３参照）を介して、他のコンピュータや、放射線画像をフィルム等の画像記録媒体に記録して出力するイメージャ等の外部機器、ＨＩＳ（Hospital Information System；病院情報システム）、ＲＩＳ（Radiology Information System；放射線科情報システム）等の必要な装置が接続されている。
【０１０２】
また、コンソール５８には、ハードディスク等で構成された記憶手段５９が接続されており、記憶手段５９には、ＦＰＤカセッテ１から送信されてきた画像データＤ等が保存されるようになっている。なお、コンソール５８における画像処理等については、後で説明する。
【０１０３】
管理装置Ｓ（図１や図３参照）は、本実施形態では、ブッキー装置５１を用いた撮影で得られた画像データＤや間引きデータＤｔに基づく、後述するプレビュー画像ｐ_preや放射線画像ｐを表示させる際の情報を、各ブッキー装置５１ごとに管理しているが、この点についても、後で説明する。
【０１０４】
なお、この情報を、コンソール５８で管理するように構成する場合には、管理装置Ｓを必ずしも設ける必要はないことは前述した通りである。
【０１０５】
次に、本発明に関する説明の前に、コンソール５８における画像処理等について簡単に説明する。
【０１０６】
図１や図２に示したように、撮影室Ｒａとコンソール５８とが予め１対１に対応付けられている場合には必要ないが、例えば図３に示したように、複数の撮影室Ｒａとコンソール５８とがネットワークＮ等を介して接続されているような場合には、まず、コンソール５８で、放射線技師等の撮影者により、撮影に用いられる撮影室Ｒａを指定する。
【０１０７】
この指定により、コンソール５８と撮影室Ｒａとが対応付けられて、撮影室Ｒａ内のＦＰＤカセッテ１から送信された間引きデータＤｔや画像データＤ等が当該コンソール５８に送信されるようになる。
【０１０８】
また、図１〜図３のいずれの場合も同様であるが、コンソール５８は、撮影者の操作により、ネットワークＮに接続された図示しないＨＩＳやＲＩＳから、撮影オーダ情報等の必要な情報を入手する。
【０１０９】
撮影オーダ情報は、少なくとも撮影部位と撮影条件を指定して設定されるようになっている。具体的には、撮影オーダ情報は、図１３に例示するように、患者情報としての「患者ＩＤ」Ｐ２、「患者氏名」Ｐ３、「性別」Ｐ４、「年齢」Ｐ５、「診療科」Ｐ６、および「撮影部位」Ｐ７、および撮影条件としての「撮影方向」Ｐ８や使用するブッキー装置５１を表す「ブッキーＩＤ」Ｐ９等で構成される。そして、撮影オーダが登録された順に、各撮影オーダ情報に対して「撮影オーダＩＤ」Ｐ１が自動的に割り当てられる。
【０１１０】
コンソール５８は、撮影オーダ情報を入手すると、図１４に示すように、表示部上に各撮影オーダ情報の一覧を選択画面Ｈ１として表示する。本実施形態では、選択画面Ｈ１には、撮影オーダ情報表示欄ｈ１１や選択ボタンｈ１２、決定ボタンｈ１３、戻るボタンｈ１４が表示される。
【０１１１】
そして、例えば、撮影者が選択ボタンｈ１２をクリックして、各撮影オーダ情報を選択して、決定ボタンｈ１３をクリックすると、コンソール５８は、表示部上に図１５に示すような画面Ｈ２を表示する。
【０１１２】
画面Ｈ２には、図１５に示すように、各撮影オーダ情報に対応する各アイコンＩが表示され、各アイコンＩの下部には、後述するように、アイコンＩの位置に表示されるプレビュー画像ｐ_preを撮影者が見て再撮影が不要と判断したり、アイコンＩの位置に表示される放射線画像ｐが正常であると判断して放射線画像ｐを確定させる際にクリックする「ＯＫ」ボタンと、再撮影が必要であったり、放射線画像ｐに対する画像処理等をやり直す際にクリックする「ＮＧ」ボタンがそれぞれ表示される。
【０１１３】
また、画面Ｈ２の右側に表示されている照射条件の設定用の表示Ｉａ上の各項目の「＋」ボタンや「−」ボタンをクリックすることで、放射線発生装置５７の放射線源５２の管電圧や管電流、照射時間等の照射条件を変更して設定することができるようになっている。
【０１１４】
一方、本実施形態では、各アイコンＩ１〜Ｉ４は、いずれか１つのアイコンＩ（図１５の場合はアイコンＩ２）が目立つようにフォーカスされて表示されるようになっており、フォーカスされているアイコンＩに対応する撮影オーダ情報に基づく撮影が行われる。なお、撮影者が、別の撮影オーダ情報に基づく撮影を行いたい場合には、その撮影オーダ情報に対応する他のアイコンＩをクリックする等して操作することにより、フォーカスを遷移させることができるようになっている。
【０１１５】
また、本実施形態では、コンソール５８は、フォーカスされているアイコンＩに対応する撮影オーダ情報に基づく撮影が行われるように、前室Ｒｂ内の放射線発生装置５７を制御して、撮影室Ｒａ内の放射線源５２に所定の管電圧や管電流、照射時間等の照射条件で起動させたり、放射線源５２を移動させたり、その照射方向を変えさせる。
【０１１６】
なお、画面Ｈ２の左側には、フォーカスして表示されているアイコンＩに対応する撮影オーダ情報で指定された撮影部位が、撮影者が一目で分かるように表した人体モデルＩｂ上に表示されている。
【０１１７】
一方、フォーカスして表示されたアイコンＩに対応する撮影オーダ情報に基づく放射線画像撮影が行われると、前述したように、ＦＰＤカセッテ１からは、各放射線検出素子７の画像データＤから作成された間引きデータＤｔが送信されてくる。コンソール５８は、ＦＰＤカセッテ１から間引きデータＤｔが送信されてくると、図１６に示すように、送信されてきた間引きデータＤｔに基づくプレビュー画像ｐ_preを、フォーカスされていた元のアイコンＩ２の位置に表示するようになっている。
【０１１８】
なお、このプレビュー画像ｐ_preの表示の際に、送信される間引きデータＤｔに対する１８０°回転処理の要否が判断されるが、この処理については後述する。
【０１１９】
また、撮影者がプレビュー画像ｐ_preを見易いように、例えば図１７に示すように、プレビュー画像ｐ_preを画面Ｈ２上に拡大して表示するように構成することも可能である。また、その後、当該ＦＰＤカセッテ１から画像データＤが送信されてくると、コンソール５８は、画像データＤを、当該アイコンＩに対応する撮影オーダ情報に対応付ける。
【０１２０】
そして、コンソール５８は、プレビュー画像ｐ_preを所定時間表示する間に、プレビュー画像ｐ_preを見た撮影者が「ＮＧ」ボタンをクリックしなければ、図１８に示すように、フォーカスして表示するアイコンＩを例えばアイコンＩ３に遷移させるとともに、元のアイコンＩ２に対応する撮影でＦＰＤカセッテ１から送信されてきた画像データＤ等に基づく放射線画像ｐの生成処理を開始する。
【０１２１】
なお、プレビュー画像ｐ_preを見た撮影者が上記の所定時間の間に「ＮＧ」ボタンをクリックした場合には、撮影オーダ情報に対する画像データＤの対応付けを解除するとともに、間引きデータＤｔや画像データＤを抹消する。また、画像データＤ等に基づく放射線画像ｐの生成処理も行わない。
【０１２２】
コンソール５８は、画像データＤに対してオフセット補正やゲイン補正、欠陥画素補正、撮影部位に応じた諧調処理等の処理を行う。また、撮影の際に、ＦＰＤカセッテ１にグリッドを取り付けて撮影が行われている場合があるため、グリッドによるモアレ除去のためのフィルタリング処理をさらに行う。
【０１２３】
グリッドを用いた撮影を行う場合、グリッドピッチとＦＰＤカセッテ１の画素サイズとの関係で、画像データＤにモアレを生じる場合がある。このモアレ対策として、例えば特開２０００−３１６１２６号公報に記載されているように、使用するグリッドを適正に選択すれば、モアレ発生を避けることができる。また、特開平８−８８７６５号公報に記載されているように、一旦、身近のグリッドを使用して撮影を行い、画像データＤ中に含まれるモアレ成分を、次工程でフィルタリング処理して除去することも知られている。
【０１２４】
ＦＰＤカセッテ１の場合、本実施形態で説明するように複数の撮影室Ｒで使用されたり、後述する実施形態で説明するように回診先で使用されるので、使用するグリッド種を制限することは得策ではない。すなわち、ＣＲカセッテを用いて撮影を行っていた際に使用されていたグリッドをそのまま使用することが好ましい。また、撮影の都度、各撮影に使用したグリッドピッチ情報を読取り画像に対応付けて保存とすることも可能であるが、
専用機型の放射線画像撮影装置の場合とは異なり、ＦＰＤカセッテ１の場合、グリッドピッチ情報を対応付けるには、大がかりな既存の撮影設備改造が必要になり、しかも、各撮影における放射線技師等の撮影者の操作も増えるため、現実的ではない。
【０１２５】
従って、使用するグリッドを限定せず、使用可能性のあるグリッドピッチに対応したモアレ除去フィルタを予め数種準備しておき、画像データＤに対して、予め準備しておいた全てのフィルタを順次適用することで、モアレのない放射線画像ｐを得る方法が、ＦＰＤカセッテ１にとっては好ましい。
【０１２６】
なお、この放射線画像ｐの生成処理においては、プレビュー画像ｐ_preに基づき、撮影対象となっている被写体部位の自動認識が行われ、認識結果に基づき、各部位毎に予め定められた診断提供時の表示方向に合致するように、必要に応じてプレビュー画像の表示方向に対して回転処理が行われる。
【０１２７】
本実施例では、胸部正面画像であるので、プレビュー画像ｐ_preの表示方向に対し、更なる回転処理は施されず、同一方向のままとなっている。
【０１２８】
コンソール５８は、放射線画像ｐを生成すると、図１８に示すように、元のアイコンＩ２の位置に表示する。そして、放射線画像ｐを見た撮影者が、生成された放射線画像ｐが正常であると判断して「ＯＫ」ボタンをクリックすると、放射線画像ｐを確定させて、放射線画像ｐを撮影オーダ情報に対応付ける。
【０１２９】
以上のようにして、コンソール５８では、画像データＤに基づく放射線画像ｐの生成処理等の他の処理が行われる。
【０１３０】
以下、ブッキー装置５１の構成や本発明に特徴的なコンソール５８における処理等について説明する。また、それとともに、本実施形態に係る放射線画像撮影システム５０の作用について説明する。
【０１３１】
前述したように、ＦＰＤカセッテ１では、各放射線検出素子７からの画像データＤの読み出し処理の際に、走査駆動手段１５のゲートドライバ１５ｂ（図１０参照）から各走査線５にオン電圧を順次印加する際の順番が予め決まっており、例えば、走査線５のラインＬ１からオン電圧の印加を開始し、ラインＬ２、Ｌ３、…、Ｌｘの順に、オン電圧を印加する走査線５を順次シフトさせながら、画像データＤを読み出すようになっている。
【０１３２】
以下では、オン電圧を印加する走査線５を順次シフトさせていく方向を、画像データＤの読み出し方向という。画像データＤの読み出し方向は、前述した図２９中に矢印Ａで示した方向であり、走査線５の延在方向に直交する。なお、以下、読み出し方向Ａという。
【０１３３】
前述した図２９〜図３２で説明したような問題、特に図３２に示したように、コンソール５８の表示部５８ａ上に、プレビュー画像ｐ_preが上下逆さまの状態で表示されてしまう問題の原因は、結局、ＦＰＤカセッテ１における画像データＤの読み出し方向Ａと、表示部５８ａにおける表示方向が逆になることにある。
【０１３４】
すなわち、図２９と図３０に示したように、ＦＰＤカセッテ１における画像データＤの読み出し方向Ａが上側から下側に向かう方向（図２９参照）であり、表示部５８ａにおける表示方向Ｂも上側から下側に向かう方向（図３０参照）である場合には、プレビュー画像ｐ_preは、その上下方向被写体である患者の身体の上下方向と同じ上下方向で表示される。
【０１３５】
しかし、ＦＰＤカセッテ１における画像データＤの読み出し方向Ａが下側から上側に向かう方向（図３１参照）であるが、表示部５８ａにおける表示方向Ｂが上側から下側に向かう方向（図３２参照）である場合には、プレビュー画像ｐ_preは、その上下方向が被写体である患者の身体の上下方向とは逆さまに表示される。
【０１３６】
そこで、本実施形態では、ＦＰＤカセッテ１における画像データＤの読み出し方向Ａが下側から上側に向かう方向（図３１参照）である場合には、プレビュー画像ｐ_preを１８０°回転させて表示するようになっており、図１９（Ａ）、（Ｂ）に示すように、１８０°回転させたプレビュー画像ｐ_preを下側から上側に向かって（図中の矢印Ｂ参照）表示するようになっている。
【０１３７】
このように、ＦＰＤカセッテ１における画像データＤの読み出し方向Ａが下側から上側に向かう方向（図３１参照）である場合に、プレビュー画像ｐ_preを１８０°回転させて表示するように構成することで、このような場合に通常の表示方向Ｂ（すなわち上側から下側に向かう方向）に画像を表示すると１８０°回転してしまう画像を、その上下方向が被写体である患者の身体の上下方向と同じ上下方向で表示することが可能となる。
【０１３８】
次に、どのような場合にＦＰＤカセッテ１における画像データＤの読み出し方向Ａが下側から上側に向かう方向（図３１参照）になるかについて本発明者らが研究したところ、ＦＰＤカセッテ１を装填するブッキー装置５１の構造に依存することが分かった。
【０１３９】
以下、このことについて説明する。なお、以下において「左（側）」や「右（側）」という場合、ブッキー装置５１を正面側から見た場合の、向かって左（側）や向かって右（側）をいう。
【０１４０】
ブッキー装置５１は、図２０（Ａ）、（Ｂ）に示すように、左側からＦＰＤカセッテ１をカセッテ保持部５１ａに装填するタイプ（以下、左装填タイプという。）と、図２１（Ａ）、（Ｂ）に示すように、右側からＦＰＤカセッテ１をカセッテ保持部５１ａに装填するタイプ（以下、右装填タイプという。）に大別される。
【０１４１】
なお、図２０（Ａ）、（Ｂ）や図２１（Ａ）、（Ｂ）では、ブッキー装置５１が立位撮影用のブッキー装置５１Ａである場合を示したが、臥位撮影用のブッキー装置５１Ｂ（図２参照）においても左装填タイプと右装填タイプの区別があり、臥位撮影用のブッキー装置５１Ｂ上にうつ伏せに横臥した患者の左手側からＦＰＤカセッテ１を装填するタイプが左装填タイプであり、患者の右手側からＦＰＤカセッテ１を装填するタイプが右装填タイプである。なお、本明細書で「被写体である患者の身体の上下方向」という場合、患者の頭部側と脚部側との位置関係における上下方向をいい、患者が横臥している場合であっても、「被写体である患者の身体の上下方向」における「上」は患者の頭部に向かう方向をいい、「下」は患者の脚部に向かう方向をいう。
【０１４２】
また、図２０（Ａ）や図２１（Ａ）では、カセッテ保持部５１ａを昇降可能に支持する支柱５１ｄがカセッテ保持部５１ａの背面側に設けられた、いわゆる背面昇降台タイプが示されており、図２０（Ｂ）や図２１（Ｂ）では、支柱５１ｄがカセッテ保持部５１ａの側面側に設けられた、いわゆる側面昇降台タイプが示されている。
【０１４３】
さらに、立位撮影用のブッキー装置５１Ａや臥位撮影用のブッキー装置５１Ｂが、左装填タイプであるか右装填タイプであるかは、ブッキー装置５１を撮影室Ｒａ内に設置する際に各ブッキー装置５１ごとに決められる。従って、ブッキー装置５１が左装填タイプか右装填タイプかは、各ブッキー装置５１ごとに予め分かっている。
【０１４４】
いま、図１１に示したように、ブッキー装置５１から延びるケーブル５１ｃのコネクタ５１ｂをＦＰＤカセッテ１のコネクタ３９に接続してカセッテ保持部５１ａに装填する場合を考える。
【０１４５】
例えば、ブッキー装置５１が図２０（Ａ）、（Ｂ）に示したような左装填タイプである場合、図２２（Ａ）に示すように、ＦＰＤカセッテ１を、画像データＤの読み出し方向Ａが下側から上側に向かう方向になるように装填すると、装填の際に、ケーブル５１ｃがＦＰＤカセッテ１の前側を通過する状態になる場合が生じ得る。しかし、これでは、ケーブルが画像中に写り込んでしまう。
【０１４６】
それに対し、ブッキー装置５１が左装填タイプの場合には、図２２（Ｂ）に示すように、ＦＰＤカセッテ１を、画像データＤの読み出し方向Ａが上側から下側に向かう方向になるように装填すれば、ケーブル５１ｃがＦＰＤカセッテ１の前方を通過する状態にはならずに、ケーブル５１ｃを例えばカセッテ保持部５１ａの扉部５１ｅの下方に設けた開口５１ｆから外側に出すことができる。
【０１４７】
そのため、ブッキー装置５１が左装填タイプの場合には、ＦＰＤカセッテ１は、図２２（Ｂ）に示したように、画像データＤの読み出し方向Ａが上側から下側に向かう方向になるように装填される。
【０１４８】
また、例えば、ブッキー装置５１が図２１（Ａ）、（Ｂ）に示したような右装填タイプである場合、図２３（Ａ）に示すように、ＦＰＤカセッテ１を、画像データＤの読み出し方向Ａが上側から下側に向かう方向になるように装填すると、装填の際に、やはりケーブル５１ｃがＦＰＤカセッテ１の前側を通過する状態になる場合が生じ得る。
【０１４９】
それに対し、ブッキー装置５１が右装填タイプの場合には、図２３（Ｂ）に示すように、ＦＰＤカセッテ１を、画像データＤの読み出し方向Ａが下側から上側に向かう方向になるように装填すれば、ケーブル５１ｃがＦＰＤカセッテ１の前方を通過する状態にはならずに、ケーブル５１ｃを例えばカセッテ保持部５１ａの扉部５１ｅの下方に設けた開口５１ｆから外側に出すことができる。
【０１５０】
そのため、ブッキー装置５１が右装填タイプの場合には、ＦＰＤカセッテ１は、図２３（Ｂ）に示したように、画像データＤの読み出し方向Ａが下側から上側に向かう方向になるように装填される。
【０１５１】
すなわち、ブッキー装置５１が左装填タイプか右装填タイプか（すなわちＦＰＤカセッテ１を向かって左側から装填するタイプか、向かって右側から装填するタイプか）に応じて、装填されるＦＰＤカセッテ１の画像データＤの読み出し方向Ａの向きが変わる（図２２（Ｂ）と図２３（Ｂ）参照）。
【０１５２】
逆の言い方をすれば、ブッキー装置５１が左装填タイプか右装填タイプかで、装填されているＦＰＤカセッテ１の画像データＤの読み出し方向Ａが上向きか下向きかが自動的に決まる。
【０１５３】
そこで、本実施形態では、これを利用して、図１や図２に示したように、撮影室Ｒａとコンソール５８とが１対１に対応付けられている場合には、予めコンソール５８のＣＰＵのメモリ等に、例えば図２４に示すように、撮影室Ｒａ内の各ブッキー装置５１の識別情報（すなわちブッキーＩＤ）と、ＦＰＤカセッテ１の装填方向（すなわち左装填または右装填）とを対応付けるテーブルを保存しておく。
【０１５４】
そして、前述したように、上記の例では、ＦＰＤカセッテ１における画像データＤの読み出し方向Ａが上側から下側に向かう方向（図２９参照）である場合には、プレビュー画像ｐ_preを１８０°回転させて表示してはならないが、ＦＰＤカセッテ１における画像データＤの読み出し方向Ａが下側から上側に向かう方向（図３１参照）である場合には、プレビュー画像ｐ_preを１８０°回転させて表示する必要がある（図１９（Ａ）、（Ｂ）参照）。
【０１５５】
そこで、上記の例では、ブッキー装置５１が右装填タイプの場合（図２２（Ｂ）参照）に、ＦＰＤカセッテ１における画像データＤの読み出し方向Ａが下側から上側に向かう方向に装填されるため、図２４に示すように、テーブル上で、右装填タイプであるブッキー装置５１（この場合は臥位撮影用のブッキー装置５１Ｂ）の識別情報に、さらに１８０°回転させて表示することを表す「１８０°」を対応付けておく。
【０１５６】
このようにして、本実施形態では、コンソール５８の表示部５８ａ上にプレビュー画像ｐ_preを表示させる際に、当該プレビュー画像ｐ_preの基になった間引きデータＤｔや画像データＤを送信したＰＤカセッテ１が装填されているブッキー装置５１が左装填タイプか右装填タイプかに基づいて、プレビュー画像ｐ_preを１８０°回転させて表示するか、または１８０°回転させないで表示するかが、予めテーブルの形で設定されている。
【０１５７】
そして、コンソール５８は、ブッキー装置５１に装填されたＦＰＤカセッテ１から間引きデータＤｔや画像データＤ等が送信されてくると、それらのデータに付帯されている当該ブッキー装置のブッキーＩＤを参照し、図２４に示したテーブルを参照して、プレビュー画像ｐ_preを１８０°回転させて表示するか、１８０°回転させないでそのまま表示するかを決定するようになっている。
【０１５８】
すなわち、付帯されているブッキーＩＤに対応するブッキー装置５１が左装填タイプであれば、プレビュー画像ｐ_preを１８０°回転させないでそのまま表示し、付帯されているブッキーＩＤに対応するブッキー装置５１が右装填タイプであれば、プレビュー画像ｐ_preを１８０°回転させて表示する（図１９参照）。
【０１５９】
また、図３に示したように、複数の撮影室Ｒａと複数のコンソール５８等がネットワークＮ等を介して接続されている場合には、図２５に示すように、管理装置Ｓが、各撮影室Ｒａの各ブッキー装置５１ごとのテーブルを保存しておき、コンソール５８は、上記のようにして撮影室Ｒａと対応付けられた時点で、管理装置Ｓから当該撮影室Ｒａの各ブッキー装置５１に関するテーブルを入手する。
【０１６０】
そして、コンソール５８は、当該撮影室Ｒａのブッキー装置５１に装填されたＦＰＤカセッテ１から間引きデータＤｔや画像データＤ等が送信されてくると、それらのデータに付帯されている当該ブッキー装置のブッキーＩＤを参照し、入手したテーブルを参照して、プレビュー画像ｐ_preを１８０°回転させて表示するか、１８０°回転させないでそのまま表示するかを決定するように構成される。
【０１６１】
ところで、ＦＰＤカセッテ１が、ブッキー装置５１が左装填タイプの場合には必ず図２２（Ｂ）のように画像データＤの読み出し方向Ａが下向きになるように装填され、ブッキー装置５１が右装填タイプの場合には必ず図２３（Ｂ）のように画像データＤの読み出し方向Ａが上向きになるように装填されるとは限らない。
【０１６２】
しかし、ＦＰＤカセッテ１が、ブッキー装置５１が左装填タイプの場合には、ＦＰＤカセッテ１が図２２（Ｂ）のように画像データＤの読み出し方向Ａが下向きになるように装填される可能性が高くなり、ブッキー装置５１が右装填タイプの場合には、ＦＰＤカセッテ１が図２３（Ｂ）のように画像データＤの読み出し方向Ａが上向きになるように装填される可能性が高くなると言える。
【０１６３】
そのため、上記のように構成することで、少なくともコンソール５８の表示部５８ａ上にプレビュー画像ｐ_preを表示する場合には、プレビュー画像ｐ_preを被写体である患者の身体の上下方向と同じ上下方向で表示することができる可能性を高くすることが可能となる。
【０１６４】
なお、放射線画像ｐでは、プレビュー画像ｐ_preに基づき、撮影対象となっている被写体部位の自動認識が行われ、認識結果に基づき、各部位毎に予め定められた診断提供時の表示方向に合致するように、必要に応じてプレビュー画像の表示方向に対して回転処理が行われることは前述した通りである。
【０１６５】
以上のように、本実施形態に係る放射線画像撮影システム５０によれば、コンソール５８は、表示部５８ａ上にプレビュー画像ｐ_preを表示させる際に、当該プレビュー画像ｐ_preの基になった間引きデータＤｔや画像データＤを送信してきたＦＰＤカセッテ１が装填されているブッキー装置５１が左装填タイプか右装填タイプかに基づいて、プレビュー画像ｐ_preを１８０°回転させて表示すべきか否かを割り出す。
【０１６６】
そして、１８０°回転させて表示させてはならない場合には、的確にプレビュー画像ｐ_preを１８０°回転させないでそのまま表示し、１８０°回転させて表示させる必要がある場合には、的確にプレビュー画像ｐ_preを１８０°回転させて表示する。
【０１６７】
そのため、ＦＰＤカセッテ１をブッキー装置５１に装填する際に、装填するＦＰＤカセッテ１の上下方向の向き（すなわち画像データＤの読み出し方向Ａの向き）がブッキー装置５１ごとに異なっても、それに応じてプレビュー画像ｐ_preの表示方向Ｂ（図１９や図３０等参照）が適切な方向に設定されるため、コンソール５８の表示部５８ａ上に表示されるプレビュー画像ｐ_preを、被写体である患者の身体の上下方向と同じ上下方向で表示することができる可能性を高くすることが可能となる。
【０１６８】
そのため、放射線技師等の撮影者にとってプレビュー画像ｐ_preが見易い状態で表示される可能性が高くなる。特に、プレビュー画像ｐ_preを表示する際には、撮影者がそれを見て撮影ポジション等を確認し、再撮影の要否を速やかに判断することが必要となるが、プレビュー画像ｐ_preを被写体である患者の身体の上下方向と同じ上下方向で表示することができる可能性を高くすることで、撮影者が容易かつ速やかに上記の判断を行うことが可能となる。
【０１６９】
また、上記のように、本実施形態では、ＦＰＤカセッテ１にカセッテの姿勢や傾き等を検出するセンサ等を設ける必要はない。また、ブッキー装置５１の改造や新たなブッキー装置５１の導入も必要なく、撮影室Ｒａに既設のブッキー装置５１を用いることが可能となる。そのため、ＦＰＤカセッテ１が大型化したりコスト増になったり、或いは、ブッキー装置５１の改造や導入のための費用をかけることも不要になる。
【０１７０】
なお、上記の実施形態では、ＦＰＤカセッテ１のコネクタ３９にブッキー装置５１のコネクタ５１ｂを接続して装填する場合（図１１参照）について説明した。しかし、図１２に示したように、ブッキー装置５１のカセッテ保持部５１ａの内部に、装填されたＦＰＤカセッテ１のコネクタ３９と自動的に接続されるコネクタ５１ｂが設けられているブッキー装置５１（図１２参照）の場合も、上記と同様の問題が生じるが、上記と同様にして問題を解決することができる。
【０１７１】
すなわち、ブッキー装置５１のカセッテ保持部５１ａの内部にコネクタ５１ｂが設けられている場合にも、本発明を適用することができる。
【０１７２】
図１２では、右装填タイプのブッキー装置５１が示されているが、図２６に示すように、左装填タイプのブッキー装置５１も存在する。また、図１２や図２６に示した立位撮影用のブッキー装置５１Ａだけでなく、臥位撮影用のブッキー装置５１Ｂでも、カセッテ保持部５１ａの内部にコネクタ５１ｂが設けられている場合がある。
【０１７３】
そして、この場合、ＦＰＤカセッテ１は、図２７に示すように構成され、画像データＤの読み出し処理の際に、オン電圧を印加する走査線５を順次シフトさせる読み出し方向Ａが、例えばコネクタ３９側からインジケータ４０側に向かう方向になるように構成されているものとする。
【０１７４】
そして、このＦＰＤカセッテ１を、例えば図２７に示した状態で、図２６に示したブッキー装置５１に左側から装填すると、ＦＰＤカセッテ１のコネクタ３９とブッキー装置５１のコネクタ５１ｂとが的確に接続される。
【０１７５】
一方、このＦＰＤカセッテ１を、例えば図１２に示したブッキー装置５１に右側から装填する場合、図２８に示すように、ＦＰＤカセッテ１を１８０°回転させないと、ＦＰＤカセッテ１のコネクタ３９とブッキー装置５１のコネクタ５１ｂとが接続されない。
【０１７６】
そして、図２７と図２８とを見比べれば分かるように、この場合も、ブッキー装置５１が左装填タイプ（図２６参照）か右装填タイプか（図１２参照）に応じて、ＦＰＤカセッテ１における画像データＤの読み出し方向Ａが、上側から下側に向かう方向になったり（図２７参照）、下側から上側に向かう方向になったりする（図２８参照）。
【０１７７】
従って、この場合も、コンソール５８や管理装置Ｓは、コンソール５８の表示部５８ａ上にプレビュー画像ｐ_preを表示させる際に、当該プレビュー画像ｐ_preの基になった間引きデータＤｔ等を送信したＦＰＤカセッテ１が装填されているブッキー装置５１が、左装填タイプか、右装填タイプかに基づいて、プレビュー画像ｐ_preを１８０°回転させて表示するか、または１８０°回転させないで表示するかが予め設定されたテーブル（図２４、図２５参照）を備えるように構成される。
【０１７８】
そして、コンソール５８は、このテーブルを参照して、プレビュー画像ｐ_preを１８０°回転させて表示するか、１８０°回転させないでそのまま表示するかを決定する。このように構成すれば、上記の実施形態と全く同様に、プレビュー画像ｐ_preの表示方向Ｂが適切な方向に設定されるため、コンソール５８の表示部５８ａ上に、プレビュー画像ｐ_preをその上下方向が被写体である患者の身体の上下方向と同じ上下方向で的確に表示する可能性を高くすることが可能となる。
【０１７９】
一方、上記の実施形態でや上記の変形例において、ＦＰＤカセッテ１における画像データＤの読み出し方向Ａ（図２２（Ｂ）や図２９、図２７等参照）が逆の場合、すなわち、ＦＰＤカセッテ１におけるコネクタ３９の設置位置等を変えないで、読み出し方向のみを図２２（Ｂ）や図２７の図中の下側から上側に向かう方向としたＦＰＤカセッテ１である場合には、図２４や図２５に示したテーブルにおいて表示を１８０°回転させるブッキー装置５１が変わる。
【０１８０】
すなわち、図２４や図２５では、ブッキー装置５１が右装填タイプである場合に、プレビュー画像ｐ_preを１８０°回転させて表示するが、上記のようにＦＰＤカセッテ１における画像データＤの読み出し方向が逆になると、ブッキー装置５１が左装填タイプである場合にプレビュー画像ｐ_preを１８０°回転させて表示し、ブッキー装置５１が右装填タイプである場合には１８０°回転させずにそのまま表示することになる。
【０１８１】
また、図２２（Ｂ）や図２７において、例えばＦＰＤカセッテ１のコネクタ３９とインジケータ４０の位置が逆の場合には、ブッキー装置５１にＦＰＤカセッテ１を装填する際のＦＰＤカセッテ１の上下方向が逆になる。
【０１８２】
上記の実施形態や上記の変形例では、撮影に用いられるＦＰＤカセッテ１が１種類、すなわちＦＰＤカセッテ１のコネクタ３９の設置位置と画像データの読み出し方向Ａが、ある決まった関係にあるようなＦＰＤカセッテ１だけが用いられる場合について説明した。
【０１８３】
しかし、上記のように、ＦＰＤカセッテ１のコネクタ３９の設置位置と画像データの読み出し方向Ａが種々に異なるＦＰＤカセッテ１が混在する場合には、ブッキー装置５１が左装填タイプか右装填タイプかだけでなく、ＦＰＤカセッテ１におけるコネクタ３９の設置位置や画像データＤの読み出し方向Ａ等にも依存して、プレビュー画像ｐ_preを１８０°回転させて表示するか、或いは１８０°回転させないでそのまま表示するかを設定することが望ましい。
【０１８４】
なお、本発明が上記の実施形態に限定されず、適宜変更可能であることはいうまでもない。
【符号の説明】
【０１８５】
１  ＦＰＤカセッテ
３９  コネクタ
５０  放射線画像撮影システム
５１、５１Ａ、５１Ｂ  ブッキー装置
５１ｂ  コネクタ
５１ｃ  ケーブル
５２  放射線源
５８  コンソール
５８ａ  表示部
Ａ  画像データの読み出し方向
Ｄ  画像データ
Ｄｔ  間引きデータ
ｐ  放射線画像
ｐ_pre  プレビュー画像
Ｓ  管理装置
【図１】
2012110452.tif 000003
【図２】
2012110452.tif 000004
【図３】
2012110452.tif 000005
【図４】
2012110452.tif 000006
【図５】
2012110452.tif 000007
【図６】
2012110452.tif 000008
【図７】
2012110452.tif 000009
【図８】
2012110452.tif 000010
【図９】
2012110452.tif 000011
【図１０】
2012110452.tif 000012
【図１１】
2012110452.tif 000013
【図１２】
2012110452.tif 000014
【図１３】
2012110452.tif 000015
【図１４】
2012110452.tif 000016
【図１５】
2012110452.tif 000017
【図１６】
2012110452.tif 000018
【図１７】
2012110452.tif 000019
【図１８】
2012110452.tif 000020
【図１９】
2012110452.tif 000021
【図２０】
2012110452.tif 000022
【図２１】
2012110452.tif 000023
【図２２】
2012110452.tif 000024
【図２３】
2012110452.tif 000025
【図２４】
2012110452.tif 000026
【図２５】
2012110452.tif 000027
【図２６】
2012110452.tif 000028
【図２７】
2012110452.tif 000029
【図２８】
2012110452.tif 000030
【図２９】
2012110452.tif 000031
【図３０】
2012110452.tif 000032
【図３１】
2012110452.tif 000033
【図３２】
2012110452.tif 000034